(57)【要約】【課題】連設部材と本体枠との接点に力が作用した場合であっても、連設部材は本体枠に確実に固着され、ヒンジに対する補強部材の機能を果たすことのできる遊技機を提供することである。【解決手段】本体枠３ａと、本体枠３ａの表面側から取り付けられ、開閉体を開閉可能に支持するヒンジ３０，４０，５０と、本体枠３ａの裏面側から取り付けられる連設部材７０と、  ヒンジ３０，４０，５０と連設部材７０とを接続し、かつヒンジ３０，４０，５０と連設部材７０とを固定する固定部材と、を備え、ヒンジ３０，４０，５０は、ヒンジ３０，４０，５０は、連設部材７０との間で本体枠３ａを挟み込んだ状態で、固定部材によって固定されている構成とする。【選択図】        図１４
2006204648.tif 000002
【特許請求の範囲】
【請求項１】
本体枠と、
前記本体枠の表面側から取り付けられ、開閉体を開閉可能に支持するヒンジと、
前記本体枠の裏面側から取り付けられる連設部材と、
前記ヒンジと前記連設部材とを接続し、かつ前記ヒンジと前記連設部材とを固定する固定部材と、
を有し、
前記ヒンジは、前記連設部材との間で前記本体枠を挟み込んだ状態で、前記固定部材によって固定されている
ことを特徴とする遊技機。
【請求項２】
前記本体枠は、前記ヒンジの上下方向の動きを規制するリブが設けられている
ことを特徴とする請求項１記載の遊技機。
【請求項３】
前記連設部材は、金属、または金属と同等の強度および導電性を有する部材で形成されている
ことを特徴とする請求項１または２記載の遊技機。
【発明の詳細な説明】
【技術分野】
【０００１】
本発明は、遊技機に関し、特に本体枠に取り付けられるヒンジに対する補強構造に関するものである。
【背景技術】
【０００２】
パチンコ遊技機などの遊技機においては、ガラス扉枠（ガラス扉）や球受皿（球皿ユニット）などの開閉体は、ヒンジを介して前面枠（本体枠）に回動自在に支持されている。例えば、ヒンジの一方の側は前面枠に取り付けられ、当該ヒンジの他方の側は上記開閉体に取り付けられている。
【０００３】
この種の遊技機としては例えば特許文献１に記載された遊技機が知られており、この遊技機は、前面枠に対し、前面側（表面側）から、上下ヒンジを一体形成した連設部材を取り付ける構造になっている。この連設部材はネジなどの手段で前面枠に取り付けられている。
【０００４】
そして、この連設部材が開閉体と前面枠とを繋ぐヒンジ機構として機能し、また前面枠の補強部材として機能する。
【特許文献１】特開２００２−１５３６５４号公報
【発明の開示】
【発明が解決しようとする課題】
【０００５】
ところで、上述したように上下ヒンジを一体形成した連設部材が前面枠（本体枠）の前面側から取り付けられているということは、上下ヒンジおよび連設部材が前面枠の前面側から取り付けられている、ということを意味する。
【０００６】
そのため、開閉体に外力が加わると、その外力に応じた力が、開閉体を回動自在に支持する上下ヒンジすなわち連設部材を介して前面枠に伝達される。特に、その力は、連設部材と前面枠との接点、すなわち前面枠における連設部材がネジ止めされている部位に集中する。
【０００７】
そして、上記接点（ネジ止めされている部位）に対する力は前方向に作用することから、前面枠にネジ止めされている連設部材が当該前面枠から抜け易くなってしまうという問題がある。
【０００８】
そこで、本発明は、連設部材におけるヒンジが固定されている部位と本体枠との接点に力が作用した場合であっても、連設部材は本体枠に確実に固定されヒンジに対する補強部材の機能を果たすことのできる遊技機を提供することを目的とする。
【０００９】
また、本発明は、ヒンジに外力が加わるような場合であっても、連設部材におけるヒンジが固定されている部位と本体枠との接点に作用する、当該外力に応じた力を抑制することのできる遊技機を提供することを目的とする。
【課題を解決するための手段】
【００１０】
上記課題を解決するため、請求項１に記載の本発明の遊技機は、本体枠と、前記本体枠の表面側から取り付けられ、開閉体を開閉可能に支持するヒンジと、前記本体枠の裏面側から取り付けられる連設部材と、前記ヒンジと前記連設部材とを接続し、かつ前記ヒンジと前記連設部材とを固定する固定部材と、を有し、前記ヒンジは、前記連設部材との間で前記本体枠を挟み込んだ状態で、前記固定部材によって固定されていることを特徴とする。
【００１１】
このように、本体枠の表面側にヒンジを取り付けるとともに本体枠の裏面側に連設部材を取り付け、しかもヒンジは、連設部材との間で本体枠を挟み込んだ状態で、固定部材によって固定するようにしているので、連設部材におけるヒンジが固定されている部位に対し所定の力が作用（力が前方向に作用）したとしても、連設部材の前方向に本体枠が位置しているので、連設部材が本体枠から抜け落ちるということを防止することができ、これにより、連設部材におけるヒンジが固定されている部位と本体枠との接点に力が作用した場合であっても、連設部材は本体枠に確実に固定されヒンジに対する補強部材の機能を果たすことが可能になる。また、上述したように、本体枠の表面側にヒンジを取り付けるとともに本体枠の裏面側に連設部材を取り付け、しかもヒンジは、連設部材との間で本体枠を挟み込んだ状態で、固定部材によって固定するようにしているので、連設部材におけるヒンジが固定されている部位と本体枠との接点に作用する力を、連設部材の前方向に位置する本体枠にも伝達させて分散させることができ、これにより、ヒンジに外力が加わるような場合であっても、連設部材におけるヒンジが固定されている部位と本体枠との接点に作用する、当該外力に応じた力を抑制することが可能になる。
【００１２】
請求項２に記載の本発明は、請求項１に記載の発明の構成に加えて、前記本体枠は、前記ヒンジの上下方向の動きを規制するリブが設けられていることを特徴とする。
【００１３】
このように、リブによってヒンジの上下方向の動きを規制するようにしているので、当該ヒンジに当該ヒンジが上下方向に動くような外力が加わるような場合であっても、ヒンジが上下方向に傾くことを防止することが可能になる。すなわち、例えば、本体枠に対向してヒンジに固定される例えばガラス扉などの開閉体に、ヒンジが上下方向に動くような外力が作用するような場合であっても、リブによってヒンジの上下方向の動きが規制されるので、当該開閉体が上下方向に傾くことを防止することが可能になる。
【００１４】
請求項３に記載の本発明は、請求項１または２に記載の発明の構成に加えて、前記連設部材は、金属、または金属と同等の強度および導電性を有する部材で形成されていることを特徴とする。
【００１５】
これにより、１つの連設部材がヒンジの補強部材の機能を果たしつつ、アースの役割も果たすことが可能になる。
【発明の効果】
【００１６】
本発明によれば以下の効果を奏することができる。
【００１７】
すなわち、本発明によれば、本体枠の表面側にヒンジを取り付けるとともに本体枠の裏面側に連設部材を取り付け、しかもヒンジは、連設部材との間で本体枠を挟み込んだ状態で、固定部材によって固定するようにしているので、連設部材におけるヒンジが固定されている部位に対し所定の力が作用（力が前方向に作用）したとしても、連設部材の前方向に本体枠が位置しているので、連設部材が本体枠から抜け落ちるということを防止することができ、これにより、連設部材におけるヒンジが固定されている部位と本体枠との接点に力が作用した場合であっても、連設部材は本体枠に確実に固定されヒンジに対する補強部材の機能を果たすことが可能になる。
【００１８】
また、本発明によれば、本体枠の表面側にヒンジを取り付けるとともに本体枠の裏面側に連設部材を取り付け、しかもヒンジは、連設部材との間で本体枠を挟み込んだ状態で、固定部材によって固定するようにしているので、連設部材におけるヒンジが固定されている部位と本体枠との接点に作用する力を、連設部材の前方向に位置する本体枠にも伝達させて分散させることができ、これにより、ヒンジに外力が加わるような場合であっても、連設部材におけるヒンジが固定されている部位と本体枠との接点に作用する、当該外力に応じた力を抑制することが可能になる。
【発明を実施するための最良の形態】
【００１９】
以下、本発明を実施するための最良の形態を、図面を参照しつつさらに具体的に説明する。ここで、添付図面において同一の部材には同一の符号を付しており、また、重複した説明は省略されている。なお、ここでの説明は本発明が実施される最良の形態であることから、本発明は当該形態に限定されるものではない。
【００２０】
図１は本発明の一実施の形態である遊技機を示す斜視図、図２は図１に示した遊技機の開閉体を開放した状態の概略を示す斜視図、図３は図２に示した遊技機の要部を示す斜視図、図４は図２に示したガラス扉に取り付けられるヒンジを示す斜視図、図５は図４に示したヒンジを説明する斜視図、図６は図４に示したヒンジを説明する斜視図、図７は図４に示したヒンジを説明する斜視図、図８は図４に示したヒンジを説明する斜視図、図９は図４に示したヒンジを説明する側面図、図１０は図４に示したヒンジを説明する斜視図、図１１は図９に示したヒンジに対する本体枠および開閉体の取り付けを説明する側面図、図１２は図２に示した皿ユニットに取り付けられるヒンジを示す斜視図、図１３は図１２に示したヒンジと図７に示したヒンジとの大きさの相違を説明する図、図１４はヒンジと本体枠と連設部材との関係およびこれら各構成要素を示す斜視図、図１５は図１４に示した本体枠の要部を示す正面図、図１６は図１５に示した本体枠におけるリブを説明するための図、図１７は図１４に示した連設部材の一部を示す拡大図、図１８は図１４に示した連設部材の一部を示す拡大図、図１９は本体枠の裏面側に設けられる連設部材をネジ止めした状態および本体枠の表面側に設けられるヒンジをネジ止めする前の状態を正面側から見た斜視図、図２０は本体枠を挟み込むように取り付けられたヒンジおよび連設部材の状態を示す断面図、図２１はヒンジの閉状態から開状態への遷移を説明する図、図２２はヒンジの閉状態から開状態への遷移を説明する図、図２３はヒンジの開状態を説明する図、図２４は図１に示した皿ユニットに関わるヒンジおよびその固定について説明する図、図２５は図１に示した皿ユニットに関わるヒンジおよびその固定について説明する図である。
【００２１】
図１に示すように、パチンコ遊技機（遊技機）１は、遊技盤２ａが装着された本体枠３ａがヒンジを介してベース枠３ｂに回動可能に取り付けられ、これら本体枠３ａおよびベース枠３ｂで遊技機本体３が構成されている。そして、このような遊技機本体３に対して、遊技盤２ａを視認可能に被うガラス扉４、およびガラス扉４の下側に位置する皿ユニット５が取り付けられている。これらガラス扉４および皿ユニット５は、その一端が遊技機本体３に回動可能に支持されており、他端が遊技機本体３に係合するようになっている（この詳細については後述する）。
【００２２】
遊技盤２ａは、そのレール６に包囲された遊技領域２ｂに、多数の遊技くぎや風車などの障害物（図示せず）、一般入賞口１２、通過ゲート（図示せず）、始動口１３、大入賞口１４、アウト口１５、普通図柄表示装置および特別図柄表示装置を構成する画像表示装置としての液晶ディスプレイ（ＬＣＤ）２１などからなる遊技部材が配置されている。
【００２３】
ここで、一般入賞口１２は、遊技球が入賞すると所定の数の遊技球が払い戻される装置、通過ゲートは、遊技球が通過したことを契機として普通図柄表示装置の複数の図柄を変動・停止させる装置、始動口１３は、遊技球が入賞すると特別図柄表示装置の複数の図柄を変動・停止させる装置、大入賞口１４は、特別図柄表示装置の停止時における図柄の組み合わせが予め設定された特定の図柄の組み合わせとなって特別遊技状態に移行した場合に開放状態となる装置である。また、アウト口１５は、一般入賞口１２、始動口１３、大入賞口１４の何れにも入賞しなかった遊技球が流入して回収される装置である。
【００２４】
そして、液晶ディスプレイ２１は、入力画像信号に基づいて任意の画像を表示する装置であり、本実施の形態においては、前述のように普通図柄表示装置と特別図柄表示装置とが液晶ディスプレイ２１内に一体化されている。但し、両者は別体になっていてもよい。
【００２５】
なお、遊技盤２ａが透明である本実施の形態では、液晶ディスプレイ２１が遊技盤２ａを通して視認可能に配置されている。また、画像表示装置としては、液晶ディスプレイ以外にも、例えばＣＲＴ（陰極線管）あるいはプラズマディスプレイ等を用いることもできる。
【００２６】
図１において、遊技盤２ａの下方には、前述のように皿ユニット５が配置されている。皿ユニット５には、払い出された遊技球および遊技領域に打ち込まれる遊技球が貯留される上皿５ａが上部に配置され、払い出しにより上皿５ａからオーバーフローした遊技球が貯留される下皿５ｂが下部に配置されている。また、皿ユニット５の右側には、レール６を介して遊技盤２ａの遊技領域２ｂへ遊技球を打ち込む際に回動操作されるハンドル７が設けられている。さらに、遊技終了時などにおいて上皿５ａに貯留された遊技球を下皿５ｂに移動させて取り出す場合に操作されるシャッタレバー１０が設けられている。
【００２７】
なお、ガラス扉４の上部の左右には、スピーカ８ａ，８ｂがそれぞれ配置されている。
【００２８】
上述したガラス扉４は、図２に示すように、その一端が、その側辺の縦方向（上下方向）の上側および下側に設けられるヒンジ３０，４０を介して遊技機本体３の本体枠３ａに開閉可能（回動可能）に支持され、また、皿ユニット５は、図２に示すように、その一端が、ヒンジ５０を介して遊技機本体３の本体枠３ａに開閉可能（回動可能）に支持され、ガラス扉４および皿ユニット５の他端が本体枠３ａに係合するようになっている。
【００２９】
ここで、ガラス扉４を開閉可能（回動可能）に支持するヒンジ４０、および皿ユニット５を開閉可能（回動可能）に支持するヒンジ５０の取付状態を拡大した様子を、図３に示す。なお、ヒンジ３０も、ヒンジ４０と同様の取付状態になっている。
【００３０】
ヒンジ３０は、詳細については後述するが、図４に示すように、本体枠３ａの表面側の所定の取付部位（後述する図１４の取付部位６０参照）に取り付けられるＬ字型の固定部材３１０と、ガラス扉４の所定部位に取り付けられるコ字型の固定部材３２０と、これらの固定部材３１０，３２０を共通にして支持され可動する２つの可動部材３３０，３４０とを備え、ガラス扉４を開閉可能に支持する。これらの２つの可動部材３３０，３４０が連動（同一方向に回動）することにより、ガラス扉４が開閉される。ヒンジ４０も、ヒンジ３０と同様の構造で本体枠３ａおよびガラス扉４に取り付けられるようになっている。
【００３１】
固定部材３１０は、ヒンジ取付用の孔３１１ａ，３１１ｂが形成されており、孔３１１ａ，３１１ｂが形成されている部材部分の底面３１１ｃと本体枠３ａの取付部位とが接するようになっている。固定部材３１０の固定に関しては、ネジなどの取付部材が矢印Ａの方向から孔３１１ａ，３１１ｂおよび本体枠３ａを介して後述する連設部材７０にネジ止めされることで、固定されるようになっている。
【００３２】
また、コ字型の固定部材３２０において、その両端側のそれぞれにヒンジ取付用の孔３２２ａが形成されており、２つの孔３２２ａが形成されているそれぞれの部分の上面３２２ｂとガラス扉４の取付部位とが接するようになっている。固定部材３２０の固定に関しては、ネジなどの取付部材が矢印Ｂの方向から孔３２２ａを介してガラス扉４にネジ止めされることで、固定されるようになっている。
【００３３】
可動部材３３０はその両側にそれぞれ軸部を有する支持部３１，３２が形成されており、支持部３１は、固定部材３１０に形成された軸受孔に軸支され、一方、支持部３２は、固定部材３２０に形成された軸受孔に軸支されている。そして、可動部材３３０は、支持部３１，３２を介して回動自在に回動する。
【００３４】
可動部材３４０はその両側にそれぞれ軸部を有する支持部３３，３４が形成されており、支持部３３は、固定部材３１０に形成された軸受孔に軸支され、一方、支持部３４は、固定部材３２０に形成された軸受孔に軸支されている。そして、可動部材３４０は、支持部３３，３４を介して回動自在に回動する。
【００３５】
ヒンジ４０も、ヒンジ３０と同様の構造で本体枠３ａおよびガラス扉４に取り付けられるようになっている。
【００３６】
ここで、ヒンジ３０の詳細な構成について、図５〜図１１を参照して説明する。
【００３７】
図５に示すように、ヒンジ（ヒンジ部）３０は、上述したように、本体枠３ａに固定される固定部材（第１の固定部材）３１０と、ガラス扉（開閉体）４の本体枠３ａと対向する側に固定される固定部材（第２の固定部材）３２０と、一端部が固定部材３１０に可動自在に支持され、他端部が固定部材３２０に可動自在に支持される可動部材（第１の可動部材）３３０と、一端部が固定部材３１０に可動自在に支持され、他端部が固定部材３２０に可動自在に支持され、かつ一端部および他端部は可動部材３３０に対する支持位置とは異なる支持位置で支持されるとともに可動部材３３０と対向して設けられる可動部材（第２の可動部材）３４０とを備えている。また、ヒンジ３０はガラス扉４の開放を規制する開放規制部３５０を備えている。
【００３８】
固定部材３１０は、本体枠３ａの取付部位６０に当該固定部材３１０（つまりヒンジ３０）を取る付けるためのヒンジ取付用の孔３１１ａ，３１１ｂが形成されている部材３１１と、可動部材３３０および可動部材３４０をそれぞれ回動自在に支持する支持孔３１２ａ，３１２ｂが形成されたＬ字型の部材３１２とで形成されている。Ｌ字型の部材３１２は、部材３１１の両側に形成されている。
【００３９】
固定部材３２０は、可動部材３３０および可動部材３４０をそれぞれ回動自在に支持する支持孔３２１ａ，３２１ｂが形成されたコ字型の部材３２１と、ガラス扉４の本体枠３ａと対向する側に当該固定部材３２０（つまりヒンジ３０）を取り付けるためのヒンジ取付用の孔３２２ａが形成されている部材３２２とで形成されている。部材３２２はコ字型の部材３２１の両側に形成されている。
【００４０】
可動部材３３０は、部材３３１の両端側に、固定部材３１０の支持孔３１２ａに支持される軸部３３２と、固定部材３２０の支持孔３２１ａに支持される軸部３３３とが形成されている。軸部３３２の両端部には支持孔３１２ａに軸支される支持部３１が形成され、軸部３３３の両端部には支持孔３２１ａに軸支される支持部３２が形成されている。部材３３１は、軸部３３２と軸部３３３との間に、後述する可動部材３４０の軸部３４２が当接する湾曲部３３１ａが形成されている。
【００４１】
可動部材３４０は、部材３４１の一方端に、固定部材３１０の支持孔３１２ｂに支持される軸部３４２が形成されているとともに、部材３４１の他方の側の両端に、この部材との間で直角（略直角）をなすように部材３４３が形成されている。軸部３４２の両端部には、支持孔３１２ｂに軸支される支持部３３が形成され、両側の部材３４３の端部には、それぞれ固定部材３２０の支持孔３２１ｂに軸支される支持部３４が形成されている。
【００４２】
なお、可動部材３３０と可動部材３４０とは対向するように固定部材３１０および固定部材３２０に支持される。
【００４３】
開放規制部３５０は、図６に示すように、可動部材３３０の可動部材３４０と対向する所定の部位つまり湾曲部３３１ａと、可動部材３４０の可動部材３３０と対向する所定の部位つまり軸部３４２とが接し、ガラス扉４の開放を規制するようになっている。
【００４４】
このようなヒンジ３０の組み立て方について説明する。
【００４５】
まず、例えば図５に示すような状態から、固定部材３１０の２つの支持孔３１２ａに、可動部材３３０の軸部３３２の両側の支持部３１を軸着するとともに、固定部材３１０の２つの支持孔３１２ｂに、可動部材３４０の軸部３４２の両側の支持部３３を軸着する。このようにして支持部３１，３３が固定部材３１０の支持孔３１２ａ，３１２ｂに軸着された状態を、図７に示す。
【００４６】
次に、この状態から、固定部材３２０の２つの支持孔３２１ａに、可動部材３３０の軸部３３３の両側の支持部３２を軸着するとともに、固定部材３２０の２つの支持孔３２１ｂに、可動部材３４０の部材３４３の両側の支持部３４を軸着する。このようにして支持部３２，３４が固定部材３２０の支持孔３２１ａ，３２１ｂに軸着された状態を、図８に示す。この図８に示すヒンジ３０は、図４に示したヒンジ３０と同一のものである。
【００４７】
この図８に示したヒンジ３０を別の角度から見た様子を図９および図１０に示す。図９は、図８に示したヒンジ３０に対し、固定部材３１０の部材３１１の底面３１１ｃを下方向に向けて水平にし、孔３１１ａが左側（紙面に対し左側）に位置するようにした状態を示す。図１０は、図９に示したヒンジ３０に対し、可動部材３４０の部材３４１の底面を見上げるように見た様子を示す。
【００４８】
ところで、図８、図９および図１０に示すヒンジ３０は、これを最大に開放した状態（開状態）を示している。
【００４９】
図８および図９において、この開状態のヒンジ３０を閉状態にしたときは（開閉体を閉じたときは）、固定部材３２０の部材３２１の先端面３２１ａと、可動部材３４０の部材３４１の先端面３４１ａとが対向し接するようになっているとともに、固定部材３２０の部材３２２の底面３２２ｃと、固定部材３１０の部材３１２の上端面３１２ｃとが対向し接するようになっている。
【００５０】
上述したようなヒンジ３０においては、図１１に示すように、本体枠３ａの取付部位６０（後述する図１５の取付部位６０）に固定部材３１０の部材３１１の底面３１１ｃが接するように、また、ガラス扉（開閉体）４の取付部位４００に固定部材３２０の部材３２２の上面３２２ｂが接するように、それぞれ取り付けられる。
【００５１】
次に、ヒンジ５０の詳細な構成について図１２を参照して説明する。
【００５２】
図１２に示すように、ヒンジ５０は、基本的には、図４に示したヒンジ３０と同様の構造になっており、固定部材５１０，５２０、および可動部材５３０，５４０から構成されている。固定部材５１０および固定部材５２０はそれぞれ図４に示した固定部材３１０および固定部材３２０に対応し、可動部材５３０および可動部材５４０はそれぞれ図４に示した可動部材３３０および可動部材３４０に対応する。
【００５３】
固定部材５１０は、ヒンジ取付用の孔５１１ａ，５１１ｂが形成されており、孔５１１ａ，５１１ｂが形成されている部材部分の底面５１１ｃと本体枠３ａの取付部位とが接するようになっている。固定部材５１０の固定に関しては、ネジなどの取付部材が矢印Ａの方向から孔５１１ａ，５１１ｂおよび本体枠３ａを介して後述する連設部材７０にネジ止めされることで、固定されるようになっている。
【００５４】
また、固定部材５２０において、その両端側それぞれにヒンジ取付用の孔５２２ａが形成されており、２つの孔５２２ａが形成されているそれぞれの部分の上面５２２ｂと皿ユニット５の取付部位とが接するようになっている。固定部材５２０の固定に関しては、ネジなどの取付部材が矢印Ｂの方向から孔５２２ａを介して皿ユニット５にネジ止めされることで、固定されるようになっている。
【００５５】
一方、可動部材５３０，５４０は、上記ヒンジ３０の場合と同様に、それぞれに形成されている軸部が固定部材５１０および固定部材５２０のそれぞれに形成されている軸受孔に軸支されることで、回動自在に回動する。
【００５６】
このようなヒンジ５０は、ヒンジ３０と同様の構造になっているので、ヒンジ３０と同様の機能（ヒンジ機能）を果たすものであり、上述した開放規制部３５０の機能も有している。
【００５７】
このヒンジ５０は、ヒンジ３０，４０と比較して、これを本体枠３ａおよび皿ユニット５に取り付けたときの縦方向（上下方向）の長さが長くなるように形成されている（延設されている）。つまり、図４に示したヒンジ３０の長さＬに相当する部分が長くなった形状になっている。
【００５８】
ここで、ヒンジ５０とヒンジ３０との大きさの相違について、図１３および上記図７を参照して説明する。なお、図１３において、符号５１１で示される部材、符号５２２で示される部材、符号５４１で示される部材は、それぞれ図７に示した符号３１１で示される部材、符号３２２で示される部材、符号３４１で示される部材に対応するものである。
【００５９】
図１３に示すヒンジ５０において、固定部材５２０のコ字型の部材５２１の長手方向の長さＬ１０、部材５２１の両側に設けられている２つの部材５２２の先端間の距離Ｌ２０、および２つの部材５２２に形成されている孔５２２ａの中心点間の距離Ｌ３０は、それぞれ図７に示したヒンジ３０における長さＬ１、距離Ｌ２および距離Ｌ３と比較して長くなっている。勿論、固定部材５１０において、部材５１１の長手方向の長さＬ４０は、図７に示すヒンジ３０のこれに対応する部材の長さＬと比較して長くなっている。
【００６０】
すなわち、Ｌ１０＞Ｌ１、Ｌ２０＞Ｌ２、Ｌ３０＞Ｌ３、Ｌ４０＞Ｌの関係が成立している。
【００６１】
なお、この実施の形態では、図７に示したヒンジ３０における固定部材３１０の部材３１１の長さＬ４を有する辺、および固定部材３２０の部材３２１の長さＬ５を有する辺と、ヒンジ５０における、それぞれに対応する辺とは、同じ長さになっている。
【００６２】
上述したようなヒンジ５０においては、図１１に示したヒンジ３０の場合と同様に、本体枠３ａの取付部位に固定部材５１０の部材５１１の底面５１１ｃが接するように、また、皿ユニット（開閉体）５の取付部位に固定部材５２０の部材５２２の上面５２２ｂが接するように、それぞれ取り付けられる。
【００６３】
次に、上述した構成のヒンジ３０、４０，５０の遊技機本体３側への取り付けについて説明する。
【００６４】
この実施の形態では、図１４に示すように、ヒンジ３０，４０，５０は、本体枠３ａの表面側から取り付けられ、これらのヒンジの補強部材の機能を果たす連設部材７０が本体枠３ａの裏面側から取り付けられる。なお、各ヒンジ３０，４０，５０は、本体枠３ａの表面側の取付部位６０に取り付けられるようになっている。
【００６５】
連設部材７０は、導電性を有する導電部材、例えば金属で形成されている。この実施の形態では、連設部材７０の材料として金属を用いるようにしているが、本発明はこれに限定されることなく、金属と同等の強度および導電性を有する導電部材であれば、どのような材料を使用しても良い。
【００６６】
本体枠３ａの取付部位６０には、図１４および図１５に示すように、連設部材７０を取り付ける（固定する）ための固定用孔６１，６２，６３，６４が形成されているとともに、ヒンジ３０、ヒンジ４０およびヒンジ５０のそれぞれを取り付けるためのヒンジ取付用孔６５、ヒンジ取付用孔６６およびヒンジ取付用孔６７，６８が形成されている。
【００６７】
図１５に示すように、ヒンジ取付用孔６５はヒンジ取付用孔６５ａ，６５ｂから構成され、ヒンジ取付用孔６６はヒンジ取付用孔６６ａ，６６ｂから構成され、ヒンジ取付用孔６７はヒンジ取付用孔６７ａ，６７ｂから構成され、ヒンジ取付用孔６８はヒンジ取付用孔６８ａ，６８ｂから構成されている。
【００６８】
また、取付部位６０には、ヒンジ３０の上下方向の動きを規制するリブ９１，９２、ヒンジ４０の上下方向の動きを規制するリブ９３，９４、およびヒンジ５０の上下方向の動きを規制するリブ９５，９６が設けられている。
【００６９】
ヒンジ４０の上下方向の動きを規制するリブ９３，９４近傍部分を拡大した様子を、図１６に示す。図１６に示すように、リブ９３とリブ９４との距離は、図４に示したヒンジ３０（ヒンジ４０も同様の構成）の固定部材３１０の長さＬと同等の長さに設定されている。そして、孔３１１ａとヒンジ取付用孔６６ａとが、孔３１１ｂとヒンジ取付用孔６６ｂとがそれぞれ合うように、かつ固定部材３１０の底面３１１ｃが取付部位６０と接するようにヒンジ４０を取り付けたとき、ヒンジ４０つまり固定部材３１０が取付部位６０の上下方向（縦方向）に動かないように規制される。
【００７０】
ところで、連設部材７０には、図１４に示すように、上記固定用孔６１〜６４に対応する位置に、固定用のネジ等の取付部材が螺合する固定用ネジ孔７１，７２，７３，７４が形成されているとともに、ヒンジ取付用孔６５，６６，６７，６８に対応する位置に、ヒンジ取付用のネジ等の取付部材が螺合するヒンジ取付用ネジ孔７５，７６，７７，７８が形成されている。
【００７１】
固定用ネジ孔７１およびヒンジ取付用ネジ孔７５近傍を拡大した様子を、図１７に示し、固定用ネジ孔７３，７４およびヒンジ取付用ネジ孔７７，７８近傍を拡大した様子を、図１８に示す。
【００７２】
図１７に示すように、ヒンジ３０を取り付けるためのヒンジ取付用ネジ孔７５はヒンジ取付用ネジ孔７５ａ，７５ｂから構成されている。なお、図１７には図示されていないが、ヒンジ４０を取り付けるためのヒンジ取付用ネジ孔７６も、ヒンジ取付用ネジ孔７５の場合と同様に、２つのヒンジ取付用ネジ孔から構成されている。
【００７３】
また、図１８に示すように、ヒンジ５０を取り付けるための上下のヒンジ取付用ネジ孔に関しても、上述したヒンジ取付用ネジ孔７５の場合と同様に、ヒンジ取付用ネジ孔７７はヒンジ取付用ネジ孔７７ａ，７７ｂから構成され、ヒンジ取付用ネジ孔７８はヒンジ取付用ネジ孔７８ａ，７８ｂから構成されている。
【００７４】
ここで、ヒンジ３０，４０，５０と連設部材７０とを本体枠３ａを挟み込むようにして取り付ける取り付け方について図４、図１２、図１４〜図１８を参照して説明する。
【００７５】
この実施の形態では、連設部材７０を本体枠３ａの裏面側から取り付け、その後、ヒンジ３０，４０，５０を取り付けるようになっている。
【００７６】
最初に、連設部材７０の取り付けについて説明する。
【００７７】
図１４に示すように、連設部材７０を本体枠３ａの裏面側から取り付けるに際し、本体枠３ａの固定用孔６１，６２，６３，６４と連設部材７０の固定用ネジ孔７１，７２，７３，７４とが合うように（対応するように）するとともに、本体枠３ａのヒンジ取付用孔６５，６６，６７，６８と連設部材７０のヒンジ取付用ネジ孔７５，７６，７７，７８とが合うようにする。
【００７８】
そして、このような状態が維持されるように、本体枠３ａの表面側から、ネジ８１，８２，８３，８４を、固定用孔６１，６２，６３，６４を介して固定用ネジ孔７１，７２，７３，７４にネジ止めする。これにより連設部材７０は本体枠３ａに固定される。
【００７９】
次に、この状態から、ヒンジ３０を、その孔３１１ａ（図４参照）が本体枠３ａ（の取付部位６０）の外側に位置するように取付部位６０に取り付ける。
【００８０】
すなわち、孔３１１ａ（図４参照）とヒンジ取付用孔６５ａ（図１５参照）とが合うように（対応するように）するとともに、孔３１１ｂ（図４参照）とヒンジ取付用孔６５ｂ（図１５参照）とが合うように、ヒンジ３０が取付部位６０に取り付けられる。
【００８１】
この場合、ネジ等の取付部材が、ヒンジの孔３１１ａ，３１１ｂおよび本体枠３ａのヒンジ取付用孔６５ａ，６５ｂを介して、連設部材７０のヒンジ取付用ネジ孔７５ａ，７５ｂ（図１７参照）にネジ止めされる。
【００８２】
ここで、ネジ等の取付部材は、ヒンジ３０と連設部材７０とを接続し、かつヒンジ３０と連設部材７０とを固定する固定部材として機能する。
【００８３】
ヒンジ４０に関しても、上記ヒンジ３０の場合と同様の取付状態で取付部位６０に取り付けられる。
【００８４】
続いて、ヒンジ５０を、上側および下側の孔５１１ａ（図１２参照）が本体枠３ａ（の取付部位６０）の外側に位置するように取付部位６０に取り付ける。
【００８５】
すなわち、上側の孔５１１ａ（図１２参照）とヒンジ取付用孔６７ａ（図１５参照）とが合うように（対応するように）するとともに、上側の孔５１１ｂ（図１２参照）とヒンジ取付用孔６７ｂ（図１５参照）とが合うように、また、ヒンジ５０の下側の孔５１１ａ，５１１ｂについても、上側の孔５１１ａ，５１１ｂの場合と同様にヒンジ取付用孔６８ａ，６８ｂと合うように、ヒンジ５０が取付部位６０に取り付けられる。
【００８６】
この場合、ネジ等の取付部材が、ヒンジ５０の上側の孔５１１ａ，５１１ｂおよび本体枠３ａのヒンジ取付用孔６７ａ，６７ｂを介して、連設部材７０のヒンジ取付用ネジ孔７７ａ，７７ｂ（図１８参照）にネジ止めされるとともに、ヒンジ５０の下側の孔５１１ａ，５１１ｂおよび本体枠３ａのヒンジ取付用孔６８ａ，６８ｂを介して、連設部材７０のヒンジ取付用ネジ孔７８ａ，７８ｂ（図１８参照）にネジ止めされる。
【００８７】
ここで、ネジ等の取付部材は、ヒンジ５０と連設部材７０とを接続し、かつヒンジ５０と連設部材７０とを固定する固定部材として機能する。
【００８８】
以上のようにして、ヒンジ３０，４０，５０は、本体枠３ａを介して連設部材７０に固定されることになる。
【００８９】
ここで、連設部材７０が本体枠３ａに固定された状態において本体枠３ａの取付部位６０側から見た様子の一部を、図１９に示す。図１９は、ネジ８１が本体枠３ａの固定用孔６１および連設部材７０のヒンジ取付用ネジ孔７５にネジ止めされた状態を示すとともに、ヒンジ３０が本体枠３ａの取付部位６０に配置されネジ止めされる前の状態を示す。
【００９０】
この状態からヒンジ３０を固定するために、ネジ１０１，１０２が、ヒンジ３０の固定部材３１０に形成されている孔３１１ａ，３１１ｂ、本体枠３ａのヒンジ取付用孔６５ａ，６５ｂを介して、連設部材７０のヒンジ取付用ネジ孔７５ａ、７５ｂにビス止めされる。これにより、ヒンジ３０は、本体枠３ａと連設部材７０とに固定される。この状態を本体枠３ａの上方から見た概略の様子を、図２０に示す。
【００９１】
ここで、ネジ１０１，１０２は、ヒンジ３０と連設部材７０とを接続し、かつヒンジ３０と連設部材７０とを固定する固定部材として機能する。
【００９２】
ところで、従来においては、本体枠３ａの表面側（前面側）から、上下ヒンジを一体形成した連設部材を取り付ける構成であったので、例えば開閉体（扉体）に遊技者によって力が加えられると、その力は連設部材と本体枠との接点に集中していた。
【００９３】
これに対し、本発明では、図２０に示すように、連設部材７０を本体枠３ａの裏面側から取り付けるとともに、ヒンジ３０，４０，５０（図２０ではヒンジ３０の固定部材３１０を例示）を本体枠３ａの表面側から取り付ける構成としたので、連設部材７０が本体枠３ａの裏面側に取り付けられている分、連設部材７０に対し所定の力が作用（力が前方向に作用つまり力が図２０中矢印Ａの方向に作用）したとしても、この連設部材７０が抜け落ちるということは無い。
【００９４】
また、従来のように連設部材７０と本体枠３ａとの接点（一点）に集中してしまっていた力に対しては、本体枠３ａの裏面側に連設部材７０が設けられているので、連設部材７０と本体枠３ａとの接点１１０，１２０に働く力（図２０中矢印Ａの方向に働く力）は本体枠３ａにも伝達されることとなり、分散させることができる。
【００９５】
なお、連設部材７０を本体枠３ａの裏面側に設け、ヒンジ３０，４０，５０を本体枠３ａの裏面側から臨ませる構成も考えられるが、この場合は、各ヒンジを開閉体に固定するために、本体枠３ａにヒンジを通す分だけの開口部（穴）を形成しなければならず、ヒンジの分だけ開口部も大きくなってしまう。そのため、その開口部が大きい分、本体枠３ａの強度が低下してしまう。
【００９６】
これに対し、本発明では、ヒンジ３０，４０，５０を本体枠３ａの表面側から取り付けるとともに、連設部材７０を本体枠３ａの裏面側から取り付けるため、ヒンジに関し、本体枠３ａに形成される開口部（孔）はヒンジ取付用の小さな孔つまりヒンジ取付用孔６５，６６，６７，６８であればよく、本体枠３ａの強度を低下させる虞はない。
【００９７】
次に、ガラス扉４や皿ユニット５などの開閉体がヒンジ３０，４０，５０を介して本体枠３ａに開閉可能に支持された場合に、当該開閉体の開閉状態に応じた当該各ヒンジの状態を図２１、図２２および図２３に示す。ここでは、ヒンジ３０について説明するが、ヒンジ４０およびヒンジ５０も同様の動作を行う。
【００９８】
なお、図２１および図２２において、（ａ）は開閉体（ガラス扉４）が閉状態のときのヒンジ３０の状態を示し、（ｂ）は開閉体（ガラス扉４）が半開状態のときのヒンジ３０の状態を示し、（ｃ）開閉体（ガラス扉４）が開状態（全開状態）のときのヒンジ３０の状態を示す。
【００９９】
また、図２３において、Ｐ１は遊技機（パチンコ遊技機）の左側端部の位置を示し、この位置Ｐ０よりも右側が遊技機の右側つまり遊技機の内側を示す。同様に、図２１および図２２においても、図２３に示す位置Ｐ０に対応する位置が遊技機の左側端部となる。この位置Ｐ０に隣接して球貸機などの部材が存在している。
【０１００】
さて、図２１（ａ）および図２２（ａ）に示すように、開閉体が閉状態のときは、固定部材３２０の部材３２１の先端面３２１ａと、可動部材３４０の部材３４１の先端面３４１ａとが対向し接しているとともに、固定部材３２０の部材３２２の底面３２２ｃと、固定部材３１０の部材３１２の上端面３１２ｃとが対向し接している。
【０１０１】
このように開閉体（ガラス扉４）が閉状態において、遊技者が遊技機の遊技者から見て左側、すなわちガラス扉４のヒンジ３０が取り付けられている側（つまり本体枠３ａの取付部位６０の側）から、無理やり抉じ開けようとした場合には、ヒンジ３０の固定部材３２０が図２１（ａ）中矢印Ｃの方向（時計方向）に回転するように作用する。しかし、固定部材３２０の先端面３２１ａと可動部材３４０の先端面３４１ａとが接しているので、可動部材３３０および可動部材３４０は支持部３１，３２，３３，３４を介して可動（回動）することはできない。
【０１０２】
これにより、遊技者がガラス扉４のヒンジ３０を無理やり抉じ開けようとしても、ガラス扉４を開ける（ガラス扉４と本体枠３ａとの間に隙間を発生させる）ことはできない。
【０１０３】
また、開閉体（ガラス扉４）が閉状態において、ガラス扉４の前面側から本体枠３ａ側へ力をかけた場合（図２１（ａ）中矢印Ｄの方向に力を掛けた場合）には、ヒンジ３０においては、図２１（ａ）中矢印Ｄの方向つまり固定部材３２０から固定部材３１０の方向に力が作用する。しかし、固定部材３２０の部材３２２の底面３２２ｃが、固定部材３１０の部材３１２の上端面３１２ｃに接しているので、固定部材３２０が固定部材３１０に向かって移動することはない。つまり、ガラス扉４が本体枠３ａ側に向かって移動することはない。
【０１０４】
これにより、遊技者がガラス扉４の前面側から本体枠３ａ側へ力をかけた場合であっても、ガラス扉４を本体枠３ａ側へ移動させて、ガラス扉４と本体枠３ａとの間に隙間を発生させることはできない。
【０１０５】
ところで、閉状態の開閉体（ガラス扉４）をメンテナンスなど正当な理由により開けようとした場合は、ヒンジ３０（ヒンジ４０も同時に動作する）の固定部材３２０が図２１（ｂ）中矢印Ｅの方向（反時計方向）に回転するように作用するので、図２１（ｂ）および図２２（ｂ）に示すように、可動部材３３０および可動部材３４０は支持部３１，３２，３３，３４を介して同一方向に可動（時計方向に回転）する。
【０１０６】
そして、このようにして可動部材３３０および可動部材３４０が連動して同一方向に可動（時計方向に回転）すると、図２１（ｃ）および図２２（ｃ）に示すように、開放規制部３５０においては、可動部材３３０の湾曲部３３１ａが可動部材３４０の軸部３４２に当接する。このように湾曲部３３１ａが軸部３４２に当接した場合は、これ以上、可動部材３３０および可動部材３４０は時計方向に回転することはできない。すなわち、開放規制部３５０は、湾曲部３３１ａが軸部３４２に当接した時点でガラス扉４の開放を規制する。
【０１０７】
しかも、開放規制部３５０によってガラス扉４の開放が規制された場合（図２１（ｃ）および図２２（ｃ）参照）、ガラス扉４に取り付けられている固定部材３２０は、図２３に示すように、点線で示される位置から実線で示される位置へ移動する。このことは、ガラス扉４の左側端部が、例えば位置Ｐ０から所定の距離だけ、遊技機つまり本体枠３ａの内側に移動されつつ、当該ガラス扉４が開放されることを意味する。そのため、ガラス扉４の左側端部が、隣接する例えば球貸機などの部材に衝突することはない。
【０１０８】
勿論、ヒンジ５０についても、図２１〜図２３を用いて説明したヒンジ３０（ヒンジ４０）と同様の動作が行われるので、開放規制部によって皿ユニット５の開放規制を行うことができる。
【０１０９】
次に、皿ユニット５に対するヒンジ５０の取り付け（固定）について説明する。
【０１１０】
皿ユニット５は、遊技中に、遊技者による下方向への力、あるいは貯留球（皿に貯留されている遊技球）の重量による下方向への力など、外力の影響を受ける割合が、ガラス扉４の場合と比較して高い。
【０１１１】
特に、使用頻度や皿の容量の大きさを考慮した場合、皿ユニット５（図１参照）に関し、上皿５ａは、下皿５ｂと比較して、上述したような外力を受ける割合が高くなる。
【０１１２】
例えば、上述したように、上皿５ａには払い出された遊技球および遊技領域に打ち込まれる遊技球が貯留され、また、下皿５ｂには払い出しにより上皿５ａからオーバーフローした遊技球が貯留されるようになっているので、一般的に、上皿５ａは、下皿５ｂと比較して、その皿の容量が大きく、しかもその使用頻度が高い。
【０１１３】
ここで使用頻度に着目してみると、パチンコ遊技機にあっては、遊技中は、遊技球を使用して遊技するのであるから、下皿５ｂに遊技球が存在しなくとも、上皿５ａには遊技球が存在することが多い。つまり上皿５ａの使用頻度は下皿５ｂのそれと比較して高い。
【０１１４】
しかも、その使用頻度が高い分、上皿５ａに貯留されている遊技球（貯留球）の数量に応じた重量による力が当該上皿５ａに作用する。また、遊技中においては、上皿５ａに肘を掛けたり、上皿５ａを上方側から叩いて遊技する遊技者も存在するので、この場合も遊技者の肘による下方向への力、あるいは遊技者により叩かれた力が当該上皿５ａに作用する。
【０１１５】
そこで、本実施の形態では、主に上皿５ａに対し上述したような外力が作用する割合が高くなるという点を認識した上で、皿ユニット５に対しヒンジ５０を取り付け（固定）するようにする。次に、皿ユニット５に対するヒンジ５０を取り付け（固定）について、図２４および図２５を参照して説明する。
【０１１６】
図２４および図２５に示すように、ヒンジ５０は、固定部材（第１の固定部材）５１０および固定部材（第２の固定部材）５２０は、当該固定部材の上側が皿ユニット（球皿部）５の上皿５ａの底面の位置Ｐ１よりも高い位置で固定されるとともに、当該固定部材の下側が上皿５ａの底面の位置Ｐ１よりも低い位置で固定され、かつ皿ユニット５の上下方向に延設されている。
【０１１７】
すなわち、ヒンジ５０は、遊技機本体３（本体枠３ａ）側への固定つまり固定部材５１０の固定に関しては、図２４に示すように、当該固定部材の上側つまり上側の孔５１１ａ，５１１ｂが上皿５ａの底面の位置Ｐ１よりも高い位置で固定され、また、当該固定部材の下側つまり下側の孔５１１ａ、５１１ｂが上皿５ａの位置Ｐ１よりも低い位置で固定される。
【０１１８】
一方、皿ユニット５側への固定つまり固定部材５２０の固定に関しては、図２５に示すように、当該固定部材の上側つまり上側の孔５２２ａが上皿５ａの底面の位置Ｐ１よりも高い位置で固定され、また、当該固定部材の下側つまり下側の孔５２２ａが上皿５ａの底面の位置Ｐ１よりも低い位置で固定される。
【０１１９】
さらに、固定部材５１０および固定部材５２０は、図２４および図２５に示すように、皿ユニット５の上下方向（縦方向）に延設されている。
【０１２０】
これにより、延設された固定部材（第１の固定部材）５１０および固定部材（第２の固定部材）５２０においては、固定部材５１０および固定部材５２０が皿ユニット５の上下方向の長さに亘って設けられていることになるので、これらを有するヒンジ（ヒンジ部）５０は、外力に耐え得る補強部材の機能を果たすことができる。
【０１２１】
そのため、この補強部材の機能を果たすヒンジ５０を介して本体枠３ａに開閉可能に装着される皿ユニット５に対し下方向へ作用する負荷、例えば、上皿５ａに貯留されている遊技球（貯留球）の数量に応じた重量による力、遊技者が上皿５ａに肘を掛けたり、上皿５ａを上方側から叩くことによる上皿５ａの下方向への力が加わるような場合であっても、ヒンジ５０の歪みおよび傾きを防止することができる。
【０１２２】
また、このようにヒンジ５０の歪みおよび傾きを防止することができるので、皿ユニット５を本体枠３ａに確実に収容させることができる。
【０１２３】
なお、延設された固定部材５１０および固定部材５２０は、皿ユニット５の上下方向の部位に応じて許容される最大の長さ（長手方向の長さ）を有するものであれば、より好ましい。
【０１２４】
具体的には、図１３に示した例において、固定部材５１０の長手方向の長さＬ４０、および固定部材５２０の長手方向の長さＬ２０が、皿ユニット５の上下方向の部位に応じて許容される最大の長さであればよい。
【０１２５】
しかし、実際には、固定部材５１０，５２０の長手方向の長さは、固定部材５２０を皿ユニット５に固定するための上側および下側の孔５２２ａの固定位置、つまり２つの孔５２２ａの中心点間の距離Ｌ３０（図１３参照）に制約される。そのため、固定部材５２０における上側および下側の孔５２２ａの中心点間の距離Ｌ３０が、皿ユニット５の上下方向の部位に応じて許容される最大の長さ（長手方向の長さ）であることが好ましい。
【０１２６】
これにより、固定部材５１０および固定部材５２０が皿ユニット５の上下方向の長さに亘って設けられていることになるので、これらを有するヒンジ（ヒンジ部）５０は、外力に耐え得る補強部材の機能を果たすことができ、ヒンジ５０を介して本体枠３ａに開閉可能に装着される皿ユニット５に対し下方向へ作用する負荷が加わるような場合であっても、より一層、ヒンジ５０の歪みおよび傾きを防止することができる。
【０１２７】
また、上述したように延設された固定部材５１０および固定部材５２０は皿ユニット５の上下方向（縦方向）の長さにおける許容される最大の長さを有するようにしているので、本実施の形態の遊技機の如く、上皿５ａと下皿５ｂとが一体化された皿ユニット５を備え、この一体化された皿ユニット５を開閉するようにした遊技機であっても、当該皿ユニット５に対し下方向へ作用する負荷が加わるような場合であっても、ヒンジ５０の歪みおよび傾きを防止することができる。
【０１２８】
以上の説明は上皿５ａに関してのヒンジの固定についてであるが、下皿５ｂに関しても同様のことが言える。
【０１２９】
この場合、固定部材５１０および固定部材５２０は、当該固定部材の上側が皿ユニット５の下皿５ｂの底面の位置Ｐ２よりも高い位置で固定されるとともに、当該固定部材の下側が下皿５ｂ付近で固定され、かつ皿ユニット５の上下方向に延設されている。
【０１３０】
これにより、皿ユニット５の下皿５ｂに対し下方向へ作用する負荷、例えば大当りの遊技状態になったことにより獲得された多量の遊技球が下皿５ｂに貯留された状態で遊技され、当該遊技球の数量に応じた重量による力が加わるような場合であっても、ヒンジ５０の歪みおよび傾きを防止することができる。
【０１３１】
なお、上記実施の形態において、固定部材３１０の部材３１１と部材３１２とを、また固定部材３２０の部材３２１と部材３２２とを、さらに可動部材３４０の部材３４１と部材３４３とを、それぞれ別体とする構成としたが、本発明はこれに限定されることなく、固定部材３１０の各部材、固定部材３２０の各部材、可動部材３４０の各部材をそれぞれ一体に形成するようにしても良い。
【０１３２】
以上説明したように、本実施の形態によれば、次の（１）〜（９）の作用効果を期待することができる。
【０１３３】
（１）連設部材７０を本体枠３ａの裏面側から取り付けるとともに、ヒンジ３０，４０，５０を本体枠の表面側から取り付け、かつヒンジ３０，４０，５０を本体枠３ａと連設部材５０とに固定するようにしているので、連設部材７０が本体枠３ａの裏面側に設けられている分、連設部材７０に対し所定の力が作用（力が前方向に作用）したとしても、連設部材７０の前方向に位置する本体枠３ａによって当該連設部材７０の前方向へ働く力による移動が制止され、連設部材７０が本体枠３ａから抜け落ちるという心配は無いこととなる。
【０１３４】
これにより、ヒンジ３０，４０，５０に外力が加わることに起因して連設部材７０と本体枠３ａとの接点（例えば図２０に示す接点１１０，１２０）に当該外力に応じた力が作用した場合であっても、連設部材７０が本体枠３ａに確実に固着され、当該ヒンジに対する補強部材の機能を果たすことができる。
【０１３５】
（２）上述したように連設部材７０を本体枠３ａの裏面側から取り付けるとともに、ヒンジ３０，４０，５０を本体枠３ａの表面側から取り付け、かつヒンジ３０，４０，５０を本体枠３ａと連設部材７０とに固定するようにしているので、連設部材７０と本体枠３ａとの接点に作用する、当該外力に応じた力は、連設部材７０の前方向に位置する本体枠３ａにも伝達されることになり、その分、連設部材７０と本体枠３ａとの接点に作用する力を分散させることができる。
【０１３６】
これにより、ヒンジ３０，４０，５０に外力が加わるような場合であっても、連設部材７０と本体枠３ａとの接点に作用する、当該外力に応じた力を抑制することができる。
【０１３７】
（３）本体枠３ａの取付部位６０に設けられたヒンジに力が加わるような場合であっても、その取付部位６０に対応して設けられている連設部材７０がヒンジの補強部材の機能を果たすので、ヒンジに加わる力を、当該ヒンジを固定するためのネジを介して連設部材７０に伝達させることで分散させることができる。これにより、ヒンジに力が加わるような場合であっても、当該ヒンジに対する力を軽減させることができる。
【０１３８】
例えば、ガラス扉４が、ヒンジ３０およびヒンジ４０を介して本体枠３ａに開閉可能（回動可能）に支持されているときに、ガラス扉４が開放状態にあり、外力により当該ガラス扉４が下方向（鉛直方向）に力（負荷）が加わった場合は、当然、ヒンジ３０，４０にも下方向（鉛直方向）に力が加わることになる。しかし、本発明によれば、ヒンジ３０，４０に加わる力は、ヒンジを固定するためのネジ１０１，１０２を介して連設部材７０に伝達され分散されるので、ヒンジ３０，４０に対する力を軽減させることができる。ヒンジ５０についても、上記ヒンジ３０，４０の場合と同様のことが言える。
【０１３９】
（４）ヒンジ３０およびヒンジ４０はそれぞれリブ９１，９２、およびリブ９３，９４によって上下方向の動きが規制されるので、上述したようにガラス扉４に外力が加わり、ヒンジ３０，４０に当該ヒンジが上下方向に動くような外力が加わるような場合であっても、ヒンジ３０，４０が上下方向に傾くことを防止することができる。
【０１４０】
ヒンジ５０についても、上記ヒンジ３０，４０の場合と同様のことが言える。すなわち、皿ユニット５がヒンジ５０を介して本体枠３ａに開閉可能（回動可能）に支持されているときに、皿ユニット５が開放状態にあり、その皿ユニット５に外力が加わるような場合であっても、ヒンジ５０はリブ９５，９６によって上下方向の動きが規制されるので、ヒンジ５０が上下方向に傾くことを防止することができる。
【０１４１】
（５）連設部材７０は、金属など、導電性および強度を有する導電部材で形成されているので、１つの連設部材７０がヒンジ３０，４０，５０の補強部材の機能を果たしつつ、アース（接地）の役割も果たすことができる。
【０１４２】
（６）可動部材（第１の可動部材）３３０の可動部材（第２の可動部材）３４０と対向する湾曲部（所定の部位）３３１ａが、可動部材（第２の可動部材）３４０の可動部材（第１の可動部材）３３０と対向する軸部（部位）３４２に接する開放規制部３５０によって、開閉体（ガラス扉４や皿ユニット５）の開放を規制するようにしているので、簡易な構造のヒンジ（ヒンジ部）３０，４０，５０によって開閉体の開放規制を行うことができる。
【０１４３】
（７）可動部材３３０の可動部材３４０と対向する湾曲部３３１ａが可動部材３４０の可動部材３３０と対向する軸部３４２に接することで、開閉体（ガラス扉４や皿ユニット５）の開放を規制するようにしているので、強固な軸部３４２を有する可動部材３４０と可動部材３３０とで開閉体の開放規制を行ったとしても、当該可動部材３３０および可動部材３４０の破損の虞はなく、これにより、これらの可動部材の長寿命化を図ることができる。
【０１４４】
（８）ガラス扉４が閉状態において、遊技者による遊技機の左側からのガラス扉４の抉じ開け操作や、ガラス扉４の前面側から本体枠３ａ側へ力がかけられた場合であっても、上述した理由によりガラス扉４と本体枠３ａとの間に隙間を発生させることはできないので、例えば隙間から針金（あるいはピアノ線）を挿入して、遊技盤に設けられている入賞口を開かせるなどの、不正行為を防止することができる。
【０１４５】
（９）延設された固定部材（第１の固定部材）５１０および固定部材（第２の固定部材）５２０を皿ユニット（球皿部）５の上下方向の長さに亘って設けるようにしているので、これらを有するヒンジ（ヒンジ部）５０は、外力に耐え得る補強部材の機能を果たすことができる。これにより、上皿５ａに貯留されている遊技球（貯留球）の数量に応じた重量による力、遊技者が上皿５ａに肘を掛けたり、上皿５ａを上方側から叩くことによる上皿５ａの下方向への力など、皿ユニット５に対し下方向へ作用する負荷が加わるような場合であっても、ヒンジ５０の歪みおよび傾きを防止することができ、皿ユニット５を本体枠３ａに確実に収容させることができる。
【産業上の利用可能性】
【０１４６】
以上の説明においては、本発明をパチンコ遊技機本体が遊技台に取り付けられた遊技機に適用した場合が説明されているが、本発明はこれに限定されるものではなく、パチスロ遊技機（スロットマシン）、雀球、スマートボールあるいはゲームセンターに設置された各種のゲーム機など、種々の遊技機に適用することが可能である。
【図面の簡単な説明】
【０１４７】
【図１】本発明の一実施の形態である遊技機を示す斜視図である。
【図２】図１に示した遊技機の開閉体を開放した状態の概略を示す斜視図である。
【図３】図２に示した遊技機の要部を示す斜視図である。
【図４】図２に示したガラス扉に取り付けられるヒンジを示す斜視図である。
【図５】図４に示したヒンジを説明する斜視図である。
【図６】図４に示したヒンジを説明する斜視図である。
【図７】図４に示したヒンジを説明する斜視図である。
【図８】図４に示したヒンジを説明する斜視図である。
【図９】図４に示したヒンジを説明する側面図である。
【図１０】図４に示したヒンジを説明する斜視図である。
【図１１】図９に示したヒンジに対する本体枠および開閉体の取り付けを説明する側面図である。
【図１２】図２に示した皿ユニットに取り付けられるヒンジを示す斜視図である。
【図１３】図１２に示したヒンジと図７に示したヒンジとの大きさの相違を説明する図である。
【図１４】ヒンジと本体枠と連設部材との関係およびこれら各構成要素を示す斜視図である。
【図１５】図１４に示した本体枠の要部を示す正面図である。
【図１６】図１５に示した本体枠におけるリブを説明するための図である。
【図１７】図１４に示した連設部材の一部を示す拡大図である。
【図１８】図１４に示した連設部材の一部を示す拡大図である。
【図１９】本体枠の裏面側に設けられる連設部材をネジ止めした状態および本体枠の表面側に設けられるヒンジをネジ止めする前の状態を正面側から見た斜視図である。
【図２０】本体枠を挟み込むように取り付けられたヒンジおよび連設部材の状態を示す断面図である。
【図２１】ヒンジの閉状態から開状態への遷移を説明する図である。
【図２２】ヒンジの閉状態から開状態への遷移を説明する図である。
【図２３】ヒンジの開状態を説明する図である。
【図２４】図１に示した皿ユニットに関わるヒンジおよびその固定について説明する図である。
【図２５】図１に示した皿ユニットに関わるヒンジおよびその固定について説明する図である。
【符号の説明】
【０１４８】
１  パチンコ遊技機
２ａ  遊技盤
３  遊技機本体
３ａ  本体枠
３ｂ  ベース枠
４  ガラス扉
５  皿ユニット（球皿部）
３０，４０，５０  ヒンジ（ヒンジ部）
３１，３２，３３，３４  支持部
３１１ａ，３１１ｂ，３２２ａ，５１１ａ，５１１ｂ，５２２ａ  孔
６０  取付部位
６１，６２，６３，６４  固定用孔
６５，６６，６７，６８  ヒンジ取付用孔
７０  連設部材
７１，７２，７３，７４  固定用ネジ孔
７５，７６，７７，７８  ヒンジ取付用ネジ孔
８１,８２，８３，８４，１０１，１０２  ネジ
９１，９２，９３，９４，９５，９６  リブ
１０１，１０２  ネジ（固定部材）
３１０，５１０  固定部材（第１の固定部材）
３１１ｃ，３２２ｃ  底面
３１２ａ，３１２ｂ，３２１ａ，３２１ｂ  支持孔
３１２ｃ  上端面
３２０，５２０  固定部材（第２の固定部材）
３２１ａ，３４１ａ  先端面
３２２ｂ  上面
３３０，５３０  可動部材（第１の可動部材）
３３２，３３３，３４２  軸部
３３１ａ  湾曲部
３４０，５４０  可動部材（第２の可動部材）
３５０  開放規制部
Ｐ１  上皿の底面の位置
Ｐ２  下皿の底面の位置
【図１】
2006204648.tif 000003
【図２】
2006204648.tif 000004
【図３】
2006204648.tif 000005
【図４】
2006204648.tif 000006
【図５】
2006204648.tif 000007
【図６】
2006204648.tif 000008
【図７】
2006204648.tif 000009
【図８】
2006204648.tif 000010
【図９】
2006204648.tif 000011
【図１０】
2006204648.tif 000012
【図１１】
2006204648.tif 000013
【図１２】
2006204648.tif 000014
【図１３】
2006204648.tif 000015
【図１４】
2006204648.tif 000016
【図１５】
2006204648.tif 000017
【図１６】
2006204648.tif 000018
【図１７】
2006204648.tif 000019
【図１８】
2006204648.tif 000020
【図１９】
2006204648.tif 000021
【図２０】
2006204648.tif 000022
【図２１】
2006204648.tif 000023
【図２２】
2006204648.tif 000024
【図２３】
2006204648.tif 000025
【図２４】
2006204648.tif 000026
【図２５】
2006204648.tif 000027